(57)【要約】【課題】液体商品の他の容器への詰替作業を簡単かつ確実に行うことができるパウチ容器を提供する。【解決手段】柔軟性シートによって形成されたパウチ１０と、このパウチ１０に取り付けられるスパウト２０とから構成されている。スパウト２０は、このパウチ１０にヒートシールされる、中央部に貫通孔が形成された平面舟形状の装着部２２、装着部２２に連設された、パウチ１０の外側に突出する、先端に注出口を有する円筒状の口部２３及びパウチ１０の内側に突出する導出管２４からなる本体部２１と、この本体部２１における口部２３の注出口を開閉するスクリューキャップ２６とを備えており、円筒状の口部２３と導出管２４とが装着部２２に形成された貫通孔を介して相互に連通した状態となっている。導出管２４は、ガスバリア性を有しており、その先端が閉塞されていると共に、その基端側には、閉塞された先端部を折り取るための周溝２４ａが形成されている。【選択図】        図１
2007302318.tif 000002
【特許請求の範囲】
【請求項１】
開閉可能な注出口を有するスパウトがパウチに装着されたスパウト付きパウチ容器であって、
前記スパウトは、前記パウチ内に突出する、管路が閉塞された導出管を有し、
前記導出管には、管路の閉塞部または管路の閉塞部よりも基端側に、前記閉塞部を含む先端側を折り取るための折取手段が形成されていることを特徴とするスパウト付きパウチ容器。
【請求項２】
前記導出管は、ガスバリア性を有する素材によって形成されている請求項１に記載のスパウト付きパウチ容器。
【請求項３】
開閉可能な注出口を有するスパウトがパウチに装着されたスパウト付きパウチ容器であって、
前記スパウトは、前記パウチ内に突出する導出管を有し、
前記導出管における内容物の流入口には、前記導出管の外側に開くことができるような状態で、前記流入口を閉塞する弁体が開閉可能に取り付けられており、
前記導出管には、前記弁体が取り付けられた先端側を折り取るための折取手段が形成されていることを特徴とするスパウト付きパウチ容器。
【請求項４】
開閉可能な注出口を有するスパウトがパウチに装着されたスパウト付きパウチ容器であって、
前記スパウトは、前記パウチ内に突出した、内容物の流入口を有する導出管を備え、
前記導出管には、内容物の流入口を広げるために、前記流入口を含む先端側を折り取るための折取手段が形成されていることを特徴とするスパウト付きパウチ容器。
【請求項５】
開閉可能な注出口を有するスパウトがパウチに装着されたスパウト付きパウチ容器であって、
前記スパウトは、前記パウチ内に突出した導出管を有し、
前記導出管の先端部には、前記導出管の外側に開くことができるような状態で、前記導出管の内径より小さい内容物の流入口が形成された弁体が開閉可能に取り付けられており、
前記導出管には、前記弁体が取り付けられた先端側を折り取るための折取手段が形成されていることを特徴とするスパウト付きパウチ容器。
【発明の詳細な説明】
【技術分野】
【０００１】
この発明は、例えば、ボトル容器に詰め替えるためのシャンプーやリンス等の液体商品を充填する容器に適したスパウト付きパウチ容器及びその製造方法に関する。
【背景技術】
【０００２】
例えば、ボトル容器に詰め替えるためのシャンプー等の液体商品を充填するスパウト付きパウチ容器としては、図１２に示すようなものがある。このスパウト付きパウチ容器５０は、同図（ａ）、（ｂ）に示すように、柔軟性シートによって袋状に形成されたボトムガセットタイプのパウチ５１と、このパウチ５１の上縁部に装着された、注口となる口部５２ａをスクリューキャップ５２ｃによって開閉することができるスパウト５２とを備えており、このスパウト５２は、図１３（ａ）、（ｂ）に示すように、パウチ５１の上縁部にヒートシールされる、口部５２ａが突設された平面舟形状の装着部５２ｂに、口部５２ａとパウチ５１内とを連通する液体商品の流出路ＦＲが形成されている。
【０００３】
こういったスパウト付きパウチ容器５０に充填された詰替用の液体商品をボトル容器等に移し替える際は、図１２（ｂ）に示すように、スパウト５２の口部５２ａを閉塞しているスクリューキャップ５２ｃを外し、図１４に示すように、容器全体を徐々に傾けながら、スパウト５２の口部５２ａをボトル容器６０の口部６１の上端縁に沿わせるようにして、液体商品をスパウト５２の口部５２ａからボトル容器６０の口部６１に注ぎ入れることになる。
【０００４】
【特許文献１】特開平０７−１８７２０２号公報
【発明の開示】
【発明が解決しようとする課題】
【０００５】
しかしながら、こういった詰替用の液体商品を充填するスパウト付きパウチ容器５０は、内容物である液体商品を短時間でボトル容器等に移し替えることができるように、口部５２ａの口径がある程度大きいスパウト５２が装着されているので、上述したように、口部５２ａが斜め下方を向くように、容器全体を傾けると、スパウト５２の口部５２ａから多量の液体商品が勢いよく流出することになる。
【０００６】
このため、こういったスパウト付きパウチ容器５０に充填された詰替用の液体商品をボトル容器等にうまく注ぎ入れることができずに、こぼしてしまう場合があり、液体商品の詰替作業を安定した状態で確実に行うことができないといった問題がある。
【０００７】
そこで、この発明の課題は、液体商品の他の容器への詰替作業を簡単かつ確実に行うことができるパウチ容器を提供することにある。
【課題を解決するための手段】
【０００８】
上記の課題を解決するため、請求項１にかかる発明は、開閉可能な注出口を有するスパウトがパウチに装着されたスパウト付きパウチ容器であって、前記スパウトは、前記パウチ内に突出する、管路が閉塞された導出管を有し、前記導出管には、管路の閉塞部または管路の閉塞部よりも基端側に、前記閉塞部を含む先端側を折り取るための折取手段が形成されていることを特徴とするスパウト付きパウチ容器を提供するものである。
【０００９】
また、請求項２にかかる発明は、請求項１にかかる発明のスパウト付きパウチ容器において、前記導出管を、ガスバリア性を有する素材によって形成したのである。
【００１０】
また、請求項３にかかる発明は、開閉可能な注出口を有するスパウトがパウチに装着されたスパウト付きパウチ容器であって、前記スパウトは、前記パウチ内に突出する導出管を有し、前記導出管における内容物の流入口には、前記導出管の外側に開くことができるような状態で、前記流入口を閉塞する弁体が開閉可能に取り付けられており、前記導出管には、前記弁体が取り付けられた先端側を折り取るための折取手段が形成されていることを特徴とするスパウト付きパウチ容器を提供するものである。
【００１１】
また、上記の課題を解決するため、請求項４にかかる発明は、開閉可能な注出口を有するスパウトがパウチに装着されたスパウト付きパウチ容器であって、前記スパウトは、前記パウチ内に突出した、内容物の流入口を有する導出管を備え、前記導出管には、内容物の流入口を広げるために、前記流入口を含む先端側を折り取るための折取手段が形成されていることを特徴とするスパウト付きパウチ容器を提供するものである。
【００１２】
また、請求項５にかかる発明は、開閉可能な注出口を有するスパウトがパウチに装着されたスパウト付きパウチ容器であって、前記スパウトは、前記パウチ内に突出した導出管を有し、前記導出管の先端部には、前記導出管の外側に開くことができるような状態で、前記導出管の内径より小さい内容物の流入口が形成された弁体が開閉可能に取り付けられており、前記導出管には、前記弁体が取り付けられた先端側を折り取るための折取手段が形成されていることを特徴とするスパウト付きパウチ容器を提供するものである。なお、ここにいう「流入口」は、常時開口している必要はなく、例えば、弁体に十字等の切目を形成しておき、内容物が充填されたパウチを押圧してパウチの内圧を高めることによって、切目部分が弾性変形して流入口が形成されるものも含まれる。
【発明の効果】
【００１３】
以上のように、請求項１にかかる発明のスパウト付きパウチ容器は、管路が閉塞された導出管によって、スパウトの注出路が閉鎖されているので、スパウトの注出口を開いただけでは、内容物が注出口から流出することがなく、導出管における閉塞部を含む先端側を折り取ることによって、導出管に内容物の流入口が形成され、内容物を注出することができる状態となる。
【００１４】
従って、スパウトの注出口を開き、その注出口を、内容物を移し替えようとしているボトル容器等の口部に沿わせて、内容物をボトル容器等に注ぎ入れることができる姿勢にスパウト付きパウチ容器を保持した状態で、パウチの外側から導出管の閉塞部を含む先端側を折り取ると、その時点で、スパウトの注出口からボトル容器等の口部に内容物が注ぎ込まれるので、内容物をボトル容器等に移し替える際、内容物をこぼすことなく、内容物の詰替作業を安定した状態で確実に行うことができる。
【００１５】
特に、請求項２にかかる発明のスパウト付きパウチ容器は、管路が閉塞された導出管がガスバリア性を有する素材によって形成されているので、スパウトを通して酸素がパウチ内に進入することがなく、スパウトの近くに滞留している内容物が劣化しにくいという効果が得られる。
【００１６】
また、請求項３にかかる発明のスパウト付きパウチ容器は、導出管における内容物の流入口に、導出管の外側に開くことができるような状態で、流入口を閉塞する弁体が開閉可能に取り付けられているので、スパウトの注出口から内容物を注入すると、その注入圧によって弁体が開き、内容物を短時間で充填することが可能になるという効果が得られる。
【００１７】
また、このスパウト付きパウチ容器についても、請求項１にかかる発明のスパウト付きパウチ容器と同様に取り扱うことによって、内容物をこぼすことなく、内容物の詰替作業を安定した状態で確実に行うことができるという、請求項１にかかる発明のスパウト付きパウチ容器と同様の効果を得ることができる。
【００１８】
また、請求項４にかかる発明のスパウト付きパウチ容器は、スパウトの導出管が内容物の流入口を有しているため、スパウトの注出口を開くと、その注出口から内容物が流出可能な状態となるが、導出管に予め形成されている流入口は、導出管における流入口を含む先端側を折り取ることによって形成される新たな流入口よりも小径に形成されているので、このスパウト付きパウチ容器を傾けても、スパウトの注出口から多量の内容物が勢いよく流出することはなく、導出管における流入口を含む先端側を折り取ることによって、多量の内容物を注出することができる状態となる。
【００１９】
従って、内容物をボトル容器等に移し替えるために、スパウトの注出口を開き、その注出口をボトル容器等の口部に沿わせるように、スパウト付きパウチ容器を傾ける際、スパウトの注出口から流出した内容物が、ボトル容器等の口部の外側にこぼれにくく、スパウトの注出口から流出した内容物をボトル容器等に確実に注ぎ入れることができるようになった状態で、パウチの外側から流入口を含む導出管の先端側を折り取ると、その時点で、スパウトの注出口からボトル容器等の口部に多量の内容物が注ぎ込まれるので、内容物の詰替作業を安定した状態で効率よく行うことができる。
【００２０】
また、小径の流入口を有する導出管の先端側を折り取らない状態では、上述したように、スパウトの注出口から多量の内容物が勢いよく流出することはないので、内容物をボトル容器等に詰め替えずに、このスパウト付きパウチ容器をそのまま使用することも可能である。
【００２１】
また、請求項５にかかる発明のスパウト付きパウチ容器は、導出管における内容物の流入口に、導出管の外側に開くことができるような状態で、導出管の内径より小さい内容物の流入口が形成された弁体が開閉可能に取り付けられているので、スパウトの注出口から内容物を注入すると、その注入圧によって弁体が開き、内容物を短時間で充填することが可能になるという効果が得られる。
【００２２】
また、このスパウト付きパウチ容器についても、請求項４にかかる発明のスパウト付きパウチ容器と同様に取り扱うことによって、内容物を他の容器に詰め替える場合は、その詰替作業を安定した状態で効率よく行うことができると共に、内容物をボトル容器等に詰め替えずに、このスパウト付きパウチ容器をそのまま使用することもできるという、請求項４にかかる発明のスパウト付きパウチ容器と同様の効果を得ることができる。
【発明を実施するための最良の形態】
【００２３】
以下、実施の形態について図面を参照して説明する。図１は、ポンプ式のボトル容器に詰め替えるためのシャンプー（以下、内容物という。）が充填されるスパウト付きパウチ容器１を示しており、このスパウト付きパウチ容器１は、同図（ａ）、（ｂ）に示すように、ポリエチレンやポリプロピレン等の熱接着性を有する合成樹脂フィルムの外面に、ガスバリア性シート等を積層した二軸延伸ポリアミドフィルムや二軸延伸ポリエステルフィルム等をラミネートした厚さ１００〜２００μｍ程度の柔軟性シートによって形成された、扁平状態に折り畳み可能なパウチ１０と、このパウチ１０に取り付けられる熱接着性樹脂によって形成されたスパウト２０とから構成されている。
【００２４】
前記パウチ１０は、同図（ｂ）に示すように、表裏一対の外装シート１２、１３と、この外装シート１２、１３の下端部において両者の間に折り込まれるガセットシート１５とから構成されており、外装シート１２、１３の上縁部及び両側縁部が相互にヒートシールされることによって胴部１１が形成されると共に、外装シート１２、１３間に折り込まれたガセットシート１５の周縁を外装シート１２、１３の内面にヒートシールすることによって胴部１１の下端開口部を閉塞するボトムガセット部１４が形成されている。
【００２５】
前記スパウト２０は、ポリエチレンやポリプロピレン等の熱接着性樹脂の成形物からなり、図１（ｂ）及び図２（ａ）〜（ｃ）に示すように、外装シート１２、１３の上端縁に挟み込まれた状態で外装シート１２、１３にヒートシールされる、中央部に貫通孔が形成された平面舟形状の装着部２２、この装着部２２に連設された、パウチ１０の外側に突出する、先端に注出口を有する円筒状の口部２３及びパウチ１０の内側に突出する導出管２４からなる本体部２１と、この本体部２１における口部２３の注出口を開閉するスクリューキャップ２６とを備えており、円筒状の口部２３と導出管２４とが、装着部２２に形成された貫通孔を介して相互に連通した状態となっている。
【００２６】
前記本体部２１の導出管２４は、酸素の通過を遮断するガスバリア性を有しており、その先端が閉塞されていると共に、その基端側には、閉塞された先端部を折り取るための周溝２４ａが形成されている。従って、スクリューキャップ２６を外して、口部２３の注出口を開放しても、図２（ｄ）に示すように、閉塞された先端部を折り取って導出管２４に内容物の流入口Ｅを形成しない限り、パウチ１０内に充填された内容物が口部２３の注出口から流出することはない。
【００２７】
以上のように、このスパウト付きパウチ容器１は、口部２３の注出口を内容物を移し替えようとしているボトル容器の口部に沿わせて、内容物をボトル容器に注ぎ入れることができる姿勢に保持した状態で、パウチ１０の外側から導出管２４の閉塞された先端部を折り取ると、その時点で、スパウト２０の口部２３からボトル容器の口部２３に内容物が注ぎ込まれるので、内容物をボトル容器に移し替える際、内容物をこぼすことなく、内容物の詰替作業を安定した状態で確実に行うことができる。
【００２８】
また、このスパウト付きパウチ容器１は、先端が閉塞された導出管２４がガスバリア性を有しているので、スパウト２０を通して酸素がパウチ１０内に進入することがなく、スパウト２０の近くに滞留している内容物が劣化しにくいという効果が得られる。なお、導出管２４にガスバリア性を付与するには、ガスバリア性樹脂を積層したり、表面にガスバリア性を有する無機物の被膜を形成すればよい。
【００２９】
また、このスパウト２０は、導出管２４を周溝２４ａで折り取り易くするために、周溝２４ａよりも先端側にある程度の長さを確保しているが、これに限定されるものではなく、例えば、図３（ａ）、（ｂ）に示すように、先端が閉塞された導出管２４を短くして、その先端にある程度の長さを有する押圧片２４ｂを連設してもよい。
【００３０】
また、スパウト２０は、導出管２４の先端が閉塞されているが、これに限定されるものではなく、図４（ａ）、（ｂ）に示すように、先端が開放された導出管２４の中間部に、その管路を閉塞する閉塞壁２４ｃを形成するようにしてもよい。ただし、閉塞壁２４ｃは、導出管２４における周溝２４ａよりも先端側に設けなければならないことはいうまでもない。
【００３１】
また、図５（ａ）〜（ｃ）に示すように、閉塞された導出管２４の先端面に押圧片２４ｂを連設する場合は、導出管２４の外周面ではなく、押圧片２４ｂを取り囲むように、閉塞された先端面に周溝２４ａを形成し、押圧片２４ｂを押して周溝２４ａの内側を折り取ることによって、同図（ｄ）に示すように、導出管２４の先端面に内容物の流入口Ｅを形成するようにしてもよい。
【００３２】
図６（ａ）〜（ｃ）は他の実施形態であるスパウト付きパウチ容器に使用されているスパウト２０Ａを示している。このスパウト２０Ａも上述したスパウト２０と略同様の構成を有しているので、共通の構成要素には同一符号を付してその説明を省略し、異なる構成要素について説明する。
【００３３】
上述した実施形態のスパウト２０は、導出管２４がその全長にわたって同一内径を有しており、その先端が閉塞されているが、このスパウト２０Ａの導出管２４Ａは、先端側が徐々に小径になっており、先端に内容物の流入口ｅが開放されているので、スクリューキャップ２６を外して、口部２３の注出口を開放すると、その注出口から内容物が流出可能な状態となるが、導出管２４Ａの流入口ｅは、導出管２４Ａの基端側の内径より小径に形成されているので、口部２３の注出口から多量の内容物が勢いよく流出することはなく、同図（ｄ）に示すように、流入口ｅを有する先端側を周溝２４ａ部分で折り取ることによって、導出管２４Ａに大きな流入口Ｅが形成され、多量の内容物を注出することができる状態となる。
【００３４】
従って、内容物をボトル容器に移し替えるために、口部２３の注出口をボトル容器の口部に沿わせるように、このスパウト付きパウチ容器を傾ける際、スパウト２０Ａの口部２３から流出した内容物が、ボトル容器の口部の外側にこぼれにくく、スパウト２０Ａの口部２３から流出した内容物をボトル容器に確実に注ぎ入れることができるようになった状態で、パウチの外側から流入口ｅを有する導出管２４Ａの先端側を折り取ると、その時点で、スパウト２０Ａの口部２３からボトル容器の口部に多量の内容物が注ぎ込まれるので、内容物の詰替作業を安定した状態で効率よく行うことができる。
【００３５】
また、小径の流入口ｅを有する導出管２４Ａの先端側を折り取らない状態では、上述したように、スパウト２０Ａの口部２３から多量の内容物が勢いよく流出することはなく、適量の内容物が適度に注ぎ出されるので、内容物をボトル容器に詰め替えずに、このスパウト付きパウチ容器をそのまま使用することも可能である。
【００３６】
また、このスパウト付きパウチ容器は、パウチ内に突出している導出管２４Ａを折り取ることによって、スパウト２０Ａの口部２３からの注出量を変化させるようにしているので、パウチの外側に突出している口部を折り取って注出量を変化させる場合のように、スパウトの口部が長くなって、容器全体の外観が損なわれることもない。
【００３７】
なお、このスパウト２０Ａは、先端側が徐々に小径になっており、先端に内容物の流入口ｅが開放されているが、これに限定されるものではなく、例えば、図７（ａ）に示すように、上述したスパウト２０の先端が閉塞された導出管２４の周面に流入口となる小孔２４ｄを形成したり、同図（ｂ）に示すように、導出管２４の先端面に流入口となる小孔２４ｄを形成したり、図８（ａ）〜（ｃ）に示すように、図３に示すスパウトの押圧片２４ｂが連設されている導出管２４の先端面に流入口となる小孔２４ｄを形成してもよい。また、押圧片２４ｂが連設されている導出管２４の先端面に流入口となる小孔２４ｄを形成する場合は、図５に示すスパウトと同様に、押圧片２４ｂと小孔２４ｄとを取り囲むように、導出管２４の先端面に周溝を形成し、押圧片２４ｂを押して周溝の内側を折り取ることによって、導出管２４の先端面に大径の流入口を形成するようにしてもよい。
【００３８】
また、上述した各実施形態のように、導出管２４の管路が閉塞されたスパウトや導出管２４、２４Ａに小孔２４ｄや小径の流入口ｅが形成されたスパウトを採用すると、スパウトから内容物を全く充填することができなくなったり、内容物の充填に時間がかかりすぎて、実質的にスパウトから内容物を充填することができなくなるといった問題がある。
【００３９】
そこで、図９（ａ）〜（ｃ）に示すスパウト２０Ｂのように、先端に内容物の流入口を有する、全長にわたって同一内径の導出管２４Ｂを採用し、その導出管２４Ｂの先端に、流入口を分断するリブ２４ｅを設け、そのリブ２４ｅに、流入口を閉塞する弾性変形可能な弁体２５を、導出管２４Ｂの外側に開くことができるような状態で貼着したり、図１０（ａ）〜（ｃ）に示すスパウト２０Ｃのように、先端に内容物の流入口を有する、全長にわたって同一内径の導出管２４Ｃを採用し、その導出管２４Ｃの先端に、径方向外側に張り出すリブ２４ｆを形成し、そのリブ２４ｆに、流入口を閉塞する弾性変形可能な弁体２５を、導出管２４Ｃの外側に開くことができるような状態で貼着しておくと、図９（ａ）、（ｂ）及び図１０（ａ）に一点鎖線で示すように、スパウト２０Ｂ、２０Ｃの口部２３、２３から内容物を注入すると、その注入圧によって弁体２５、２５が開き、内容物を短時間で充填することが可能になる。
【００４０】
しかも、弁体２５、２５が取り付けられた導出管２４Ｂ、２４Ｃの先端側を折り取らない限り、スパウト２０Ｂ、２０Ｃの口部２３、２３から内容物が流出することはないので、上述したスパウト付きパウチ容器１と同様に取り扱うことにより、内容物をボトル容器に移し替える際、内容物をこぼすことなく、内容物の詰替作業を安定した状態で確実に行うことができるというスパウト付きパウチ容器１と同様の効果を得ることができる。
【００４１】
また、内容物の詰替作業を安定した状態で効率よく行うことができるだけでなく、内容物をボトル容器等に詰め替えることなく、そのまま使用することもでき、さらに、スパウトから内容物を充填することができるようにするには、図１１（ａ）、（ｂ）に示すように、スパウト２０Ｂ、２０Ｃの弁体２５、２５に流入口となる小孔２５ａ、２５ａを形成したり、同図（ｃ）に示すように、スパウト２０Ｃの弁体２５に十字等の切目２５ｂを形成し、内容物が充填されたパウチを押圧することによってパウチの内圧を高めると、切目２５ｂ部分が弾性変形して、弁体２５に流入口が形成されるようにしておけばよい。なお、弁体２５に形成する切目は、十字に限定されるものではなく、Ｙ字、Ｈ字、Ｓ字、Ｉ字等を採用することも可能である。
【００４２】
また、上述した実施形態では、ボトムガセットタイプのパウチにスパウトが装着されたスパウト付きパウチ容器について説明したが、これに限定されるものではなく、ボトムガセットタイプ以外の種々のパウチにスパウトが装着されたスパウト付きパウチ容器について本発明を適用することができることは言うまでもない。
【図面の簡単な説明】
【００４３】
【図１】（ａ）はこの発明にかかるスパウト付きパウチ容器の一実施形態を示す斜視図、（ｂ）は同上のスパウト付きパウチ容器を扁平に折り畳んだ状態を示す正面図である。
【図２】（ａ）、（ｂ）は同上のスパウト付きパウチ容器に採用されているスパウトを示す側面図、（ｃ）は同上のスパウトを示す底面図、（ｄ）は同上のスパウトにおける導出管の先端部を折り取った状態を示す底面図である。
【図３】（ａ）はスパウトの変形例を示す側面図、（ｂ）は同上のスパウトを示す一部切欠断面図である。
【図４】（ａ）、（ｂ）はスパウトの変形例を示す一部切欠断面図である。
【図５】（ａ）はスパウトの変形例を示す側面図、（ｂ）は同上のスパウトを示す一部切欠断面図、（ｃ）は同上のスパウトを示す底面図、（ｄ）は同上のスパウトにおける導出管の先端部を折り取った状態を示す底面図である。
【図６】（ａ）、（ｂ）は他の実施形態であるスパウト付きパウチ容器に採用されているスパウトを示す側面図、（ｃ）は同上のスパウトを示す底面図、（ｄ）は同上のスパウトにおける導出管の先端部を折り取った状態を示す底面図である。
【図７】（ａ）はスパウトの変形例を示す側面図、（ｂ）はスパウトの他の変形例を示す一部切欠断面図である。
【図８】（ａ）はスパウトの変形例を示す側面図、（ｂ）は同上のスパウトを示す一部切欠断面図、（ｃ）は同上のスパウトを示す底面図である。
【図９】（ａ）、（ｂ）はスパウトの変形例を示す側面図、（ｃ）は同上のスパウトを示す底面図である。
【図１０】（ａ）、（ｂ）はスパウトの変形例を示す側面図、（ｃ）は同上のスパウトを示す底面図である。
【図１１】（ａ）〜（ｃ）はスパウトの変形例を示す底面図である。
【図１２】（ａ）は一般的なスパウト付きパウチ容器を示す斜視図、（ｂ）は同上のスパウト付きパウチ容器におけるスクリューキャップを外した状態を示す斜視図である。
【図１３】（ａ）は同上のスパウト付きパウチ容器に採用されているスパウトを示す側面図、（ｂ）は同上のスパウトを示す底面図である。
【図１４】同上のスパウト付きパウチ容器の使用方法を説明するための斜視図である。
【符号の説明】
【００４４】
１  スパウト付きパウチ容器
１０  パウチ
１１  胴部
１２、１３  外装シート
１４  ボトムガセット部
１５  ガセットシート
２０、２０Ａ、２０Ｂ、２０Ｃ  スパウト
２１  本体部
２２  装着部
２３  口部
２４、２４Ａ、２４Ｂ、２４Ｃ  導出管
２４ａ  周溝（折取手段）
２４ｂ  押圧片
２４ｃ  閉塞壁
２４ｄ  小孔（流入口）
２４ｅ、２４ｆ  リブ
２５  弁体
２５ａ  小孔（流入口）
２５ｂ  切目（流入口）
２６  スクリューキャップ
Ｅ、ｅ  流入口
【図１】
2007302318.tif 000003
【図２】
2007302318.tif 000004
【図３】
2007302318.tif 000005
【図４】
2007302318.tif 000006
【図５】
2007302318.tif 000007
【図６】
2007302318.tif 000008
【図７】
2007302318.tif 000009
【図８】
2007302318.tif 000010
【図９】
2007302318.tif 000011
【図１０】
2007302318.tif 000012
【図１１】
2007302318.tif 000013
【図１２】
2007302318.tif 000014
【図１３】
2007302318.tif 000015
【図１４】
2007302318.tif 000016